(57)【要約】【課題】  寄生容量の大きさの違いによる輝度不均一を防止できる液晶ディスプレイ装置の提供。【解決手段】  第１基板、第２基板、及び第１基板と第２基板の間に介装された液晶層を包含する。第２基板はコモン電極線と交錯する第１導電線を包含し、交錯エリア外の第１導電線は第２基板と画素電極の間に位置し、並びに画素電極の第２基板における投影により被覆され、スイッチ素子が第１導電線と第２導電線にそれぞれ接続され、このほか、誘電層が画素電極と第２基板の間に介装され、並びに第１導電線、コモン電極線と第２導電線を被覆する。【選択図】        図３
2006126772.tif 000002
【特許請求の範囲】
【請求項１】
液晶ディスプレイ装置において、
第１基板と、
第２基板であって、複数の画素電極、複数の第１導電線、複数の第２導電線、複数のコモン電極線、複数のスイッチ素子、及び誘電層を具え、そのうち該コモン電極線の第２基板における投影が第２導電線の第２基板における投影が交錯エリアで交錯し、該スイッチ素子は第１導電線と第２導電線にそれぞれ接続され、該誘電層は第２基板と該画素電極の間に位置し、且つ第１導電線、コモン電極線、第２導電線が該誘電層により被覆される、上記第２基板と、
第１基板と第２基板の間に挟まれた液晶層と、
を包含し、交錯エリア外の第１導電線は第２基板と画素電極の間に位置し、且つ該交錯エリア外の第１導電線が画素電極の第２基板における投影により被覆されたことを特徴とする、液晶ディスプレイ装置。
【請求項２】
請求項１記載の液晶ディスプレイ装置において、第２導電線と第１導電線が垂直とされたことを特徴とする、液晶ディスプレイ装置。
【請求項３】
請求項１記載の液晶ディスプレイ装置において、第２導電線とコモン電極線が平行とされたことを特徴とする、液晶ディスプレイ装置。
【請求項４】
請求項１記載の液晶ディスプレイ装置において、同一の第１導電線が隣り合う画素電極により被覆されたことを特徴とする、液晶ディスプレイ装置。
【請求項５】
請求項４記載の液晶ディスプレイ装置において、隣り合う画素電極により被覆された第１導電線の長さが同じか面積が同じとされたことを特徴とする、液晶ディスプレイ装置。
【請求項６】
請求項１記載の液晶ディスプレイ装置において、第２基板に位置する複数の第３導電線を更に具え、該第３導電線が第２基板と隣り合う二つの画素電極の間に挟まれ、且つ該第３導電線の第２基板における投影がその隣り合う二つの画素電極の第２基板における投影と相互に重畳することを特徴とする、液晶ディスプレイ装置。
【請求項７】
請求項６記載の液晶ディスプレイ装置において、第３導電線の第２基板における投影の幅が隣り合う画素電極間の間隙の第２基板における投影の幅より大きいことを特徴とする、液晶ディスプレイ装置。
【請求項８】
請求項７記載の液晶ディスプレイ装置において、第３導電線が遮光材料で形成されたことを特徴とする、液晶ディスプレイ装置。
【請求項９】
請求項１記載の液晶ディスプレイ装置において、スイッチ素子が薄膜トランジスタとされたことを特徴とする、液晶ディスプレイ装置。
【請求項１０】
請求項１記載の液晶ディスプレイ装置において、第１基板と第２基板がガラスとされたことを特徴とする、液晶ディスプレイ装置。
【発明の詳細な説明】
【技術分野】
【０００１】
本発明は一種のフラットディスプレイ装置に係り、特に一種の液晶ディスプレイ装置に関する。
【背景技術】
【０００２】
液晶ディスプレイは駆動方式の違いによりパッシブ式駆動とアクティブ式駆動に分けられる。パッシブ式駆動は行列マトリクス式の走査電極とデータ電極により、走査信号と同期する方式を運用し、外部電圧により各画素内の液晶を駆動する。しかし、フレーム密度が高くなるほど走査線数も多くなるため、表示コントラスト値が下がる。アクティブマトリクスの駆動方式は薄膜トランジスタ或いは金属絶縁層金属ダイオードを運用し、走査法を運用することで任意の画素のオンとオフを選択する。これにより良好な表示画質と解析度を得る。
【０００３】
伝統的な液晶ディスプレイのほとんどは図１に示されるようにデータ線６０が画素電極３の下方に置かれる。理想的はデータ線３と画素電極６０間に寄生容量が発生しても、隣り合う画素電極３とデータ線６０の重畳部分が等しければ、寄生容量も等しく、これにより各画素電極６０に提供される電圧が同じくなり、各画素の輝度が理想状態下で均一となる。
【発明の開示】
【発明が解決しようとする課題】
【０００４】
しかし実際のデータ線６０と画素電極３の重畳部分は製造工程のミスアライン（ｍｉｓａｌｉｇｎ）のために、図２に示されるように、隣り合う画素電極３とデータ線６０間の重畳エリアが左右で異なり、これにより異なる大きさの寄生容量が発生する。このためパネル上の電圧変化が寄生容量により表示電極電圧の正確性に影響を及ぼす時、輝度不均一（Ｍｕｒａ）の現象が発生し、これにより画像表示の品質に影響が生じる。本発明はこのような周知の液晶ディスプレイ装置の欠点を解決することを目的とする。
【課題を解決するための手段】
【０００５】
請求項１の発明は、液晶ディスプレイ装置において、
第１基板と、
第２基板であって、複数の画素電極、複数の第１導電線、複数の第２導電線、複数のコモン電極線、複数のスイッチ素子、及び誘電層を具え、そのうち該コモン電極線の第２基板における投影が第２導電線の第２基板における投影が交錯エリアで交錯し、該スイッチ素子は第１導電線と第２導電線にそれぞれ接続され、該誘電層は第２基板と該画素電極の間に位置し、且つ第１導電線、コモン電極線、第２導電線が該誘電層により被覆される、上記第２基板と、
第１基板と第２基板の間に挟まれた液晶層と、
を包含し、交錯エリア外の第１導電線は第２基板と画素電極の間に位置し、且つ該交錯エリア外の第１導電線が画素電極の第２基板における投影により被覆されたことを特徴とする、液晶ディスプレイ装置としている。
請求項２の発明は、請求項１記載の液晶ディスプレイ装置において、第２導電線と第１導電線が垂直とされたことを特徴とする、液晶ディスプレイ装置としている。
請求項３の発明は、請求項１記載の液晶ディスプレイ装置において、第２導電線とコモン電極線が平行とされたことを特徴とする、液晶ディスプレイ装置としている。
請求項４の発明は、請求項１記載の液晶ディスプレイ装置において、同一の第１導電線が隣り合う画素電極により被覆されたことを特徴とする、液晶ディスプレイ装置としている。
請求項５の発明は、請求項４記載の液晶ディスプレイ装置において、隣り合う画素電極により被覆された第１導電線の長さが同じか面積が同じとされたことを特徴とする、液晶ディスプレイ装置としている。
請求項６の発明は、請求項１記載の液晶ディスプレイ装置において、第２基板に位置する複数の第３導電線を更に具え、該第３導電線が第２基板と隣り合う二つの画素電極の間に挟まれ、且つ該第３導電線の第２基板における投影がその隣り合う二つの画素電極の第２基板における投影と相互に重畳することを特徴とする、液晶ディスプレイ装置としている。
請求項７の発明は、請求項６記載の液晶ディスプレイ装置において、第３導電線の第２基板における投影の幅が隣り合う画素電極間の間隙の第２基板における投影の幅より大きいことを特徴とする、液晶ディスプレイ装置としている。
請求項８の発明は、請求項７記載の液晶ディスプレイ装置において、第３導電線が遮光材料で形成されたことを特徴とする、液晶ディスプレイ装置としている。
請求項９の発明は、請求項１記載の液晶ディスプレイ装置において、スイッチ素子が薄膜トランジスタとされたことを特徴とする、液晶ディスプレイ装置としている。
請求項１０の発明は、請求項１記載の液晶ディスプレイ装置において、第１基板と第２基板がガラスとされたことを特徴とする、液晶ディスプレイ装置としている。
【発明の効果】
【０００６】
本発明の液晶ディスプレイ装置は、寄生容量の大きさの違いによる輝度不均一を防止できる。
【発明を実施するための最良の形態】
【０００７】
前述の周知の液晶ディスプレイ装置の欠点を改善するため、本発明は一種の液晶ディスプレイ装置を提供し、それは、第１基板、第２基板、第１基板と第２基板の間に介装された液晶層を包含する。そのうち、第２基板は複数の画素電極、複数の第１導電線、複数の第２導電線、複数のコモン電極線、複数のスイッチ素子、及び誘電層を具えている。第２基板の第１導電線とコモン電極線は交錯エリアで交錯し、交錯エリア外の第１導電線は第２基板と画素電極の間に位置し、並びに画素電極の第２基板における投影により被覆されている。このほか、第２基板上のスイッチ素子は第１導電線と第２導電線にそれぞれ接続される。誘電層は画素電極と第２基板の間に介装され、並びに第１導電線、コモン電極線、第２導電線を被覆する。これにより、本発明の液晶ディスプレイ装置は同じ大きさの寄生容量を得られ、寄生容量の大きさの違いにより形成される輝度不均一を防止できる。
【０００８】
本発明の液晶ディスプレイ装置の第２導電線と第１導電線は任意に配列可能であるが、相互に垂直に配列されるのがよい。本発明の液晶ディスプレイ装置の第２導電線とコモン電極線は任意に配列可能であるが、相互に平行に配列されるのがよい。本発明の液晶ディスプレイ装置の第１導電線は画素電極の投影により被覆され、好ましくは同一の第１導電線が隣り合う画素電極により被覆される。上述の液晶ディスプレイ装置の同一の第１導電線が隣り合う画素電極により被覆される面積に制限はないが、長さが同じ或いは面積が同じとされるのがよい。
【０００９】
本発明の液晶ディスプレイ装置は複数の第３導電線を包含してもよく、その第２基板における投影は隣り合う画素電極間の間隙の第２基板における投影と重畳する。好ましくは第３導電線の投影は隣り合う画素電極間の間隙の投影より大きいものとされる。本発明の前述の第３導電線の材料は任意の周知の導電材料とされるが、クロム或いはその他の遮光効果を具えた導電材料とされるのがよい。これにより本発明の液晶ディスプレイ装置は余分の導電線で電流伝送補助すると共に余分の光透過面積を占拠しない。
【００１０】
本発明の液晶ディスプレイ装置の画素電極はアレイ式画素電極或いはその他の周知の配列方式とされる。本発明の液晶ディスプレイ装置のスイッチ素子は薄膜トランジスタ（ＴＦＴ）或いはその他の等価のスイッチ素子とされ、そのコモン電極はＩＴＯ或いはＩＺＯ或いはその他の周知の導電物質とされ、その第１基板と第２基板はガラス或いはその他の周知の材質とされる。
【実施例１】
【００１１】
図３は本発明の液晶ディスプレイ装置の好ましい実施例の平面図、図４は図３の側面図である。図示されるように本実施例の液晶ディスプレイ装置は、第１基板１、第２基板２、第１基板１と第２基板２の間に介装された液晶層１０を包含する。そのうち、第２基板２は複数の画素電極３、複数の第１導電線４、複数の第２導電線５、複数のコモン電極線６、複数の第３導電線７、複数の薄膜トランジスタ１１、及び誘電層２０を包含する。本実施例の画素電極３はアレイ式画素電極とされる。本実施例の第１導電線４はデータ線とされてデータ電圧を薄膜トランジスタ１１のソースに伝送する。第２導電線５は走査線とされ、走査信号を薄膜トランジスタ１１のゲートに伝送する。第３導電線７は補助コンデンサ用電極線とされコモン電極線は画素電極３の下方に設置される。この第１導電線４はほぼ画素電極３の辺縁に沿って配置されるが、画素電極３の中間部分にあって近隣の画素電極と交錯する。第１導電線４は交錯エリアの外において全て画素電極３により被覆され、且つ画素電極３と第１導電線４の間に誘電層２０が挟まれている。第２基板２上にあって、第１導電線４は第２導電線５と垂直で、第２導電線５はコモン電極線６と平行であり、薄膜トランジスタ１１はそれぞれ第１導電線４と第２導電線５に接続される。しかし、周知の液晶ディスプレイ装置中のデータ線と画素電極のミスアラインにより隣り合う画素間で、データ線と画素電極の重畳面積が異なるために異なる寄生容量が発生し、この異なる寄生容量により液晶ディスプレイ装置が輝度不均一を発生する問題を解決するため、本発明では特に、第２基板上の第１導電線４とコモン電極線６が交錯するものとされ、交錯エリア外の同一の第１導電線４が第２基板２と画素電極３の間に置かれ、並びに隣り合う画素電極３に完全に被覆され、並びに隣り合う画素電極３が拭くする第１導電線４の面積が同じとされる。ゆえに、図４に示される本発明の液晶ディスプレイ装置の第１導電線４は画素電極３により完全に被覆される。これにより本発明の各画素電極はいずれも同じ寄生容量を獲得し、これにより各画素の輝度が同じとなる。本発明の第１導電線４の交錯エリア以外の部分は、データ線が画素電極３により完全に被覆されるか、隣り合う画素電極３により完全に被覆される。工程中のミスアラインにより引き起こされるデータ線と画素電極重畳面積の差異による寄生容量の差異値、特に隣り合う画素電極の寄生容量の差異値がこれにより最低まで減らされる。寄生容量の差異値が減るため電流或いは電圧が通過する時、隣り合う画素電極間の電圧差異は最低まで減り、これにより画素電極の輝度が均一化される。このような効果は、データ線の隣り合う画素電極下の重畳面積及び長さが等しい時（例えば本実施例）、更に明らかとなる。
【００１２】
このほか、本実施例の第３導電線７は遮光材質とされ、それは第２基板２における投影は隣り合う画素電極３の間隙の投影と重畳するか或いはそれよりやや大きい。ゆえに第３導電線は画素電極３の間隙のブラック遮光層とされ、また余分の光透過面積を減らすことがない。これにより本発明の液晶ディスプレイ装置は余分の導電線により電流伝送を補助すると共に液晶パネルの開口率を減らすことがない。
【００１３】
このほか、誘電層２０、２１は第２基板２と画素電極３の間に位置し、且つ第１導電線４、コモン電極線６、第２導電線５及び第３導電線７が誘電層２０、２１により被覆される。本実施例では、コモン電極線６はＩＴＯ或いはＩＺＯで形成される。本実施例中、第１基板１と第２基板２はガラス材質とされる。
【００１４】
以上の実施例は本発明の範囲を限定するものではなく、以上の実施例及び図面の記載に基づきなしうる細部の修飾或いは改変は、いずれも本発明の請求範囲に属する。
【図面の簡単な説明】
【００１５】
【図１】周知の液晶ディスプレイ装置の側面図である。
【図２】周知の液晶ディスプレイ装置の側面図である。
【図３】本発明の液晶ディスプレイ装置の好ましい実施例の平面図である。
【図４】図３の側面図である。
【符号の説明】
【００１６】
１  第１基板      ２  第２基板      ３  画素電極
４  第１導電線    ５  第２導電線    ６  コモン電極線
７  第３導電線    １０  液晶層      １１  薄膜トランジスタ
２０  誘電層      ２１  誘電層      ６０  データ線
【図１】
2006126772.tif 000003
【図２】
2006126772.tif 000004
【図３】
2006126772.tif 000005
【図４】
2006126772.tif 000006